(57)【要約】【課題】  居住空間の自由なプラニングが実質的に制限されないようにユニットバスとキッチンとをアイランド型に近い形態でコンパクトに隣接配置して、水廻りの集約ひいては配管工事の簡素化を図る。【解決手段】  本発明のバス・キッチン一体構造は、所定方向に沿って細長い開口形状を有する浴槽（１）と、浴槽の長手方向に沿った一端すなわち短辺部（１ａ）に隣接して設けられた洗い場（２）とからなるユニットバスと、浴槽の長手方向に沿って細長い形態を有し且つ浴槽および洗い場に隣接して配置されたキッチン（４）とを備えている。ユニットバスの天井の近傍には、ユニットバスとキッチンとの共有ダクトスペースが設けられている。【選択図】  図１
2006183243.tif 000002
【特許請求の範囲】
【請求項１】
所定方向に沿って細長い開口形状を有する浴槽と、前記浴槽の短辺部に隣接して設けられた洗い場とからなるユニットバスと、
前記所定方向に沿って細長い形態を有し且つ前記浴槽および前記洗い場に隣接して配置されたキッチンとを備えていることを特徴とするバス・キッチン一体構造。
【請求項２】
前記洗い場に隣接して前記浴槽と対向する位置に設けられた洗面化粧台をさらに備えていることを特徴とする請求項１に記載のバス・キッチン一体構造。
【請求項３】
前記ユニットバスの天井の近傍には、前記ユニットバスと前記キッチンとの共有ダクトスペースが設けられていることを特徴とする請求項１または２に記載のバス・キッチン一体構造。
【発明の詳細な説明】
【技術分野】
【０００１】
本発明は、バス・キッチン一体構造に関し、特にユニットバスとキッチンとの一体的なレイアウトに関するものである。
【背景技術】
【０００２】
従来のユニットバスでは、同じ長手方向に沿って細長い長方形状の浴槽と洗い場とが長辺部分同士が接するように設けられ、全体として正方形に近い平面形状を有する（たとえば特許文献１を参照）。このように正方形に近い平面形状を有するユニットバスは、住宅の中央に配置されることはなく、たとえば壁の隅角部などに隣接して設けられることが多い（後述の図６（ａ）を参照）。
【０００３】
【特許文献１】特開平５−７９２０１号公報
【発明の開示】
【発明が解決しようとする課題】
【０００４】
ところで、ユニットバスとキッチンとを例えばアイランド型に近い形態でコンパクトに隣接配置すると、水廻りを集約することができ、ひいては配管工事の簡素化などを図ることができる。しかしながら、従来のユニットバスは正方形に近い平面形状を有するため、居住空間の自由なプラニングが実質的に制限されないようにユニットバスとキッチンとをアイランド型に近い形態でコンパクトに隣接配置することは困難である。
【０００５】
本発明は、前述の課題に鑑みてなされたものであり、居住空間の自由なプラニングが実質的に制限されないようにユニットバスとキッチンとをアイランド型に近い形態でコンパクトに隣接配置して、水廻りの集約ひいては配管工事の簡素化などを図ることのできるバス・キッチン一体構造を提供することを目的とする。
【課題を解決するための手段】
【０００６】
前記課題を解決するために、本発明では、所定方向に沿って細長い開口形状を有する浴槽と、前記浴槽の短辺部に隣接して設けられた洗い場とからなるユニットバスと、
前記所定方向に沿って細長い形態を有し且つ前記浴槽および前記洗い場に隣接して配置されたキッチンとを備えていることを特徴とするバス・キッチン一体構造を提供する。
【０００７】
本発明の好ましい態様によれば、前記洗い場に隣接して前記浴槽と対向する位置に設けられた洗面化粧台をさらに備えている。また、前記ユニットバスの天井の近傍には、前記ユニットバスと前記キッチンとの共有ダクトスペースが設けられていることが好ましい。
【発明の効果】
【０００８】
本発明では、浴槽が細長い開口形状を有し、浴槽の短辺部に洗い場が隣接して設けられている。換言すれば、浴槽と洗い場とからなるユニットバスでは、長方形状の浴槽の短辺部分に接するように洗い場が設けられ、全体として細長い長方形の平面形状を有する。そして、浴槽の長手方向に沿って細長い形態を有するキッチンが、浴槽および洗い場に隣接して配置されている。
【０００９】
このように、本発明のバス・キッチン一体構造では、細長い長方形の平面形状を有するユニットバスと細長い形態を有するキッチンとが、長辺部分が接するように設けられている。したがって、居住空間の自由なプラニングが実質的に制限されないように、ユニットバスとキッチンとをアイランド型に近い形態でコンパクトに隣接配置することができる。その結果、水廻りの集約、ひいては配管工事の簡素化などを図ることができる。
【００１０】
なお、本発明では、洗い場に隣接して浴槽と対向する位置に洗面化粧台を設けることが好ましい。この構成により、水廻りのさらなる集約を図り、ひいては配管工事のさらなる簡素化などを実現することができる。
【００１１】
また、本発明では、ユニットバスの天井の近傍には、ユニットバスとキッチンとの共有ダクトスペースが設けられていることが好ましい。この場合、キッチンの加熱調理部から発生する蒸気や煙を、ユニットバス側の共有ダクトスペース内の配管を介して外部へ排出することができる。これは、他の居住空間が壁を介してキッチンの加熱調理部と接しているような場合に特に有効である。
【発明を実施するための最良の形態】
【００１２】
本発明の実施形態を、添付図面に基づいて説明する。図１は、本発明の実施形態にかかるバス・キッチン一体構造の構成を概略的に示す平面図である。また、図２は、図１の線Ａ−Ａに沿ったサニタリースペースの側面図である。また、図３は浴槽の構成を概略的に示す図であって、（ａ）は浴槽の斜視図を、（ｂ）は浴槽の側面図を、（ｃ）は収納ボックスの断面図を示している。
【００１３】
また、図４は、図１の線Ａ−Ａに沿ったユニットバスの側面図である。また、図５は、図１の線Ｂ−Ｂに沿ったユニットバスの側面図である。図１および図２を参照すると、本実施形態のバス・キッチン一体構造は、細長い開口形状を有する浴槽１と、浴槽１の長手方向に沿った一端すなわち短辺部（浴槽１の足元側の端部１ａ）に隣接する洗い場２とからなるユニットバス（１，２）を備えている。
【００１４】
すなわち、本実施形態のユニットバス（１，２）では、長方形状の浴槽１の短辺部分に接するように洗い場２が設けられ、全体として細長い長方形の平面形状を有する。また、洗い場２に隣接して浴槽１と対向する位置に洗面化粧台３が設けられている。こうして、本実施形態のサニタリースペースでは、浴槽１と洗い場２と洗面化粧台３とが壁Ｗ１に沿って直線状に一列に配置され、全体として細長い長方形の平面形状を有する。
【００１５】
また、本実施形態のバス・キッチン一体構造は、壁Ｗ１を挟んで浴槽１および洗い場２に隣接するように配置され且つ浴槽１の長手方向に沿って細長い形態を有するキッチン４を備えている。キッチン４は、向かって左側から順に、たとえばガスコンロ（または電気コンロなど）からなる加熱調理部４ａと、左側カウンター４ｂと、シンク４ｃと、右側カウンター４ｄとを有する。
【００１６】
また、ユニットバス（１，２）の天井Ｃの近傍には、ユニットバス（１，２）とキッチン４との共有ダクトスペース５が設けられている。本実施形態では、ユニットバス（１，２）の浴槽１およびキッチン４の加熱調理部４ａが壁Ｗ１と垂直な壁Ｗ２に隣接配置され、壁Ｗ２と平行な壁Ｗ３が洗面化粧台３から間隔を隔てて配置されている。換言すれば、本実施形態のバス・キッチン一体構造（１，２，４）は、居住空間Ｌの中にアイランド型に近い形態で配置されている。
【００１７】
図３（ａ）を参照すると、浴槽１は長手方向に沿って例えば１８２０ｍｍの外形寸法を有し、長手方向に沿ったほぼ水平な姿勢で入浴が可能なように構成されている。この目的のため、浴槽１の内部の両側にはほぼ水平な姿勢で肘や腕を載置するための第１載置面１ｂが設けられ、浴槽１の頭側の端部１ｃにはほぼ水平な姿勢で頭を載置するための第２載置面１ｄが設けられている。そして、浴槽１の第１載置面１ｂと第２載置面１ｄとの間には、ほぼ水平な姿勢で背中を載置するための第３載置面１ｅが設けられている。
【００１８】
また、図３（ｂ）および（ｃ）を参照すると、浴槽１の洗い場２側の端部１ａには、たとえばシャンプーなどを収納するための収納ボックス６が設けられている。収納ボックス６は、図３（ｃ）に示すように、下端の回転軸線部６ａを中心として洗い場２側へ揺動可能な扉６ｂを有し、洗い場２から開閉可能に構成されている。なお、図３（ａ）および（ｂ）では、図面の明瞭化のために収納ボックス６の図示を省略している。
【００１９】
図４および図５を参照すると、浴槽１の長手方向に沿って隣接する壁Ｗ１に握りバー１３（図２では不図示）がほぼ鉛直方向に沿って取り付けられ、握りバー１３の所定の高さ位置に薄型のテレビセット１４が取り付けられている。テレビセット１４は、握りバー１３の長手軸線廻りに回転可能に設けられている。すなわち、テレビセット１４は、壁Ｗ１にほぼ平行に近接した不使用位置と、壁Ｗ１に対してほぼ垂直になった使用位置との間で切り換え可能に構成されている。
【００２０】
また、テレビセット１４は、握りバー１３の長手軸線とほぼ直交する軸線（図４において紙面にほぼ垂直な軸線）廻りに回転可能に設けられている。すなわち、テレビセット１４は、その使用位置において、表示画面１４ａを上向きに設定したり下向きに設定したりすることができるように構成されている。さらに、テレビセット１４を遠隔操作するためのリモコン１４ｂが、たとえばマグネットを利用して、握りバー１３の下端の近傍に着脱自在に取り付けられている。
【００２１】
また、浴室の洗い場２の壁Ｗ１に、全体的に矩形状の壁パネル部２３（図２では不図示）が取り付けられている。壁パネル部２３には、そのほぼ中央の高さ位置に、前方に向かって湯水を噴射するための複数（たとえば６つ）のシャワーノズル２４が設けられている。また、壁パネル部２３には、シャワーノズル２４よりも下方の高さ位置に、壁パネル部２３から前方へ突出するようにカウンター部２５が設けられている。
【００２２】
カウンター部２５は、シャワーノズル２４から前方に向かって噴射される湯水に対して壁パネル部２３にもたれ掛かった所望の姿勢を一時的に保持するのを助けるように構成されている。また、カウンター部２５の一方の側の先端部分にはシャワーノズル２４から噴射される湯水の温度を調節するための温度調節部２６が設けられ、他方の側の先端部分にはシャワーノズル２４から噴射される湯水の量を調節するための湯量調節部２７が設けられている。
【００２３】
また、壁パネル部２３にはシャワーノズル２４よりも上方の高さ位置にミラー２８が設けられ、このミラー２８は点検用の開口部（不図示）を覆うように壁パネル部２３に取り付けられている。さらに、壁パネル部２３の下端には、たとえばシャンプーなどを載置するための載置棚部材２９が着脱自在に取り付けられている。また、ミラー２８の高さ位置から浴室内に延びるシャワー配管３０ａ（図１では不図示）が、通常のシャワーヘッド３０ｂ（図１では不図示）に連結されている。
【００２４】
以上のように、本実施形態のバス・キッチン一体構造では、長方形状の浴槽１の短辺部分に接するように洗い場２が設けられ、ユニットバス（１，２）が全体として細長い長方形の平面形状を有する。そして、浴槽１の長手方向に沿って細長い形態を有するキッチン４が、壁Ｗ１を挟んで浴槽１および洗い場２に隣接して配置されている。すなわち、細長い長方形の平面形状を有するユニットバス（１，２）と細長い形態を有するキッチン４とが、壁Ｗ１を挟んで長辺部分が接するように設けられている。
【００２５】
したがって、本実施形態のバス・キッチン一体構造では、居住空間Ｌの自由なプラニングが実質的に制限されないように、ユニットバス（１，２）とキッチン４とをアイランド型に近い形態でコンパクトに隣接配置することができ、その結果として、水廻りの集約ひいては配管工事の簡素化などを図ることができる。また、本実施形態では、洗い場２に隣接して浴槽１と対向する位置に洗面化粧台３が設けられているので、水廻りのさらなる集約を図り、ひいては配管工事のさらなる簡素化などを実現することができる。
【００２６】
また、本実施形態では、ユニットバス（１，２）の天井Ｃの近傍にユニットバス（１，２）とキッチン４との共有ダクトスペース５が設けられているので、キッチン４の加熱調理部４ａから発生する蒸気や煙を、ユニットバス（１，２）側の共有ダクトスペース５内の配管（不図示）を介して外部へ排出することができる。これは、他の居住空間が壁Ｗ２を介してキッチン４の加熱調理部４ａと接しているような場合に特に有効である。
【００２７】
また、本実施形態では、長方形状の浴槽１の短辺部分に接するように洗い場２が設けられた縦形式の形態を採用しているので、浴槽１の幅寸法に合わせて洗い場２の幅寸法を十分に確保し、且つ浴槽１の長さ寸法に依存することなく洗い場２の長さ寸法を所望に設定することができる。この点について、図６を参照して簡単に説明する。従来のユニットバスでは、図６（ａ）に示すように、同じ長手方向に沿って細長い長方形状の浴槽５１と洗い場５２とが長辺部分同士が接するように壁の隅角部に設けられている。
【００２８】
この従来のレイアウトでは、図６（ｂ）に示すように、たとえば浴槽５１および洗い場５２の幅寸法が共に８００ｍｍであり、長さ寸法が共に１６００ｍｍである。ここで、洗い場５２の長さ寸法は浴槽５１の長さ寸法に合わせて設定されるものであり、所要寸法よりも過度に大きくなり易い。これに対し、従来のレイアウトと同じ面積を占める本実施形態のレイアウトでは、図６（ｃ）に示すように、浴槽１および洗い場２の幅寸法が共に８００ｍｍであるが、たとえば浴槽１の長さ寸法を１８２０ｍｍとし、洗い場２の長さ寸法を１３８０ｍｍとすることが可能である。すなわち、本実施形態のレイアウトでは、従来のレイアウトと同じ占有面積において、洗い場２の長さ寸法を所要寸法に抑える分だけ浴槽１の長さ寸法を大きく確保することができる。
【００２９】
また、本実施形態では、浴槽１が長手方向に沿ったほぼ水平な姿勢で入浴可能に構成されているので、膝を実質的に曲げることなく十分にリラックスした状態で入浴を楽しむことができる。また、本実施形態では、浴槽１の洗い場２側の端部１ａに、洗い場２から開閉可能な収納ボックス６が設けられているので、たとえばシャンプーなどを使用後に収納ボックス６に容易に収納したり収納ボックス６から随時取り出して使用したりすることができ、浴室内の美観の確保および整理整頓を図ることができる。
【００３０】
また、本実施形態では、壁Ｗ１に対する握りバー１３の取付け位置（浴槽１の長手方向に沿った位置）および握りバー１３に対するテレビセット１４の取付け高さ位置を適宜選択することにより、浴槽１に浸かってリラックスした姿勢の人の眼から所望の距離だけ間隔を隔てた所望の高さ位置に所望サイズのテレビセット１４を設置することができる。また、テレビ放送を見ないときには壁Ｗ１にほぼ平行に近接する不使用位置までテレビセット１４を回転移動させて、テレビセット１４が浴槽１における人の移動などを妨げないようにすることができる。
【００３１】
さらに、浴槽１内における姿勢などの個人差に応じてテレビセット１４の表示画面１４ａを上向きや下向きに調整することができ、ひいてはテレビ放送をさらに快適に楽しむことができる。また、浴槽１に浸かった状態でリモコン１４ｂを握りバー１３から取り外したり握りバー１３に戻したりすることが容易になり、ひいてはリモコン１４ｂの所在が不明になるのを未然に防ぐことができる。
【００３２】
また、本実施形態では、シャワーノズル２４よりも下方の高さ位置において壁パネル部２３から前方へ突出するカウンター部２５の作用により、シャワーノズル２４から噴射される湯水に対して壁パネル部２３にもたれ掛かった様々な所望の姿勢を一時的に保持することができ、ひいては様々な所望の姿勢で所望の部位にマッサージシャワーを浴びることができる。
【００３３】
また、壁パネル部２３にもたれ掛かってマッサージシャワーを浴びる姿勢を保ちつつ、温度調節部２６および湯量調節部２７を操作して湯水の温度調節および湯量調節を容易に行うことができる。また、適切な高さ位置に設けられたミラー２８を取り外すだけで、点検用の開口部を介してシャワーノズル２４の配管などの保守・点検を容易に随時行うことができる。
【００３４】
なお、上述の実施形態では、洗い場２に隣接して浴槽１と対向する位置に洗面化粧台３を設けているが、これに限定されることなく、洗面化粧台を含む洗面化粧室をユニットバス（１，２）から間隔を隔てて所定の位置に配置することもできる。
【図面の簡単な説明】
【００３５】
【図１】図１は、本発明の実施形態にかかるバス・キッチン一体構造の構成を概略的に示す平面図である。
【図２】図１の線Ａ−Ａに沿ったサニタリースペースの側面図である。
【図３】浴槽の構成を概略的に示す図であって、（ａ）は浴槽の斜視図を、（ｂ）は浴槽の側面図を、（ｃ）は収納ボックスの断面図を示している。
【図４】図１の線Ａ−Ａに沿ったユニットバスの側面図である。
【図５】図１の線Ｂ−Ｂに沿ったユニットバスの側面図である。
【図６】本実施形態において浴槽の長さ寸法に依存することなく洗い場の長さ寸法を所望に設定できることを説明する図である。
【符号の説明】
【００３６】
１  浴槽
２  洗い場
３  洗面化粧台
４  キッチン
４ａ  加熱調理部
４ｃ  シンク
５  共有ダクトスペース
１３  握りバー
１４  テレビセット
２３  壁パネル部
２４  シャワーノズル
２５  カウンター部
２６  温度調節部
２７  湯量調節部
Ｗ１〜Ｗ３  壁
Ｌ  居住空間
Ｃ  天井
【図１】
2006183243.tif 000003
【図２】
2006183243.tif 000004
【図３】
2006183243.tif 000005
【図４】
2006183243.tif 000006
【図５】
2006183243.tif 000007
【図６】
2006183243.tif 000008